(57)【要約】【課題】  棒状体、例えば手摺の照明として用いる場合、手摺に差し込むことにより、適宜にその取り付け位置を変えることができ、かつ簡易に取り付けることができるリング状照明体を提供すること。【解決手段】  一方のリンク面側の全周が平坦面２とされた発光リング体１に、その嵌合穴を介して平坦面２側より発光ダイオード（ＬＥＤ）素子３が嵌め込み固着されるとともに、前記発光リング体１の平坦面２と、前記発光ダイオード（ＬＥＤ）素子３の嵌合穴より外部に出ている部分を含め前記発光リング体１までを囲むように白色塗料層８が形成され、リード線９を介して電力が供給され、かつ点灯回路部によって発光ダイオード（ＬＥＤ）素子３が点灯すると、光は発光リング体１内をリング状に発光する。【選択図】    図２
2006302743.tif 000002
【特許請求の範囲】
【請求項１】
一方のリンク面側の全周が平坦面（２）とされた発光リング体（１）に、その嵌合穴（４）を介して前記平坦面（２）側より発光ダイオード素子（３）が嵌め込み固着されるとともに、前記発光リング体（１）の平坦面（２）と、前記発光ダイオード素子（３）の嵌合穴（４）より外部に出ている部分を含め前記発光リング体（１）までを囲むように白色塗料層（８）が形成された構成を特徴とするリング状照明体。
【請求項２】
一方のリンク面側の全周が平坦面（２）とされた発光リング体（１）に、その嵌合穴（４）を介して前記平坦面（２）側より発光ダイオード素子（３）が、そのバルブ部頭部（５ａ）を前記発光リング体（１）の他方のリンク面側に突出させて嵌め込み固着されるとともに、前記発光リング体（１）の平坦面（２）と、前記バルブ部頭部（５ａ）を除いた前記発光ダイオード素子（３）の嵌合穴（４）より外部に出ている部分を含め前記発光リング体（１）までを囲むように白色塗料層（８）が形成された構成を特徴とするリング状照明体。
【請求項３】
前記発光ダイオード素子（３）のバルブ部頭部（５ａ）がＶ字形に形成され、かつ該Ｖ字形頭部分に鏡面（１０）が形成され、この発光ダイオード素子（３）が、前記発光リング体（１）の前記嵌合穴（４）に埋め込み固着された構成を特徴とする請求項１のリング状照明体。
【請求項４】
前記発光ダイオード素子（３）が複数である請求項１から３のいずれか１項のリング状照明体。
【発明の詳細な説明】
【技術分野】
【０００１】
本発明は、発光ダイオード素子を用いたリング状の照明体に関し、更に詳しくは、手摺等の棒状体の照明に好適なリング状照明体に関するものである。
【背景技術】
【０００２】
発光ダイオード（以下、ＬＥＤという。）素子は、低消費エネルギー等で照明するため種々の照明装置、例えば、手摺の照明装置に組み込まれ実用に供されている。
【０００３】
しかし、この手摺の照明装置は、複数のＬＥＤ素子と点灯回路を有する光源部が、中空円筒状のアクリルパイプの発光部の両端部に取り付けられ、発光部の内側上部近傍には反射シートが取り付けられものである。
【０００４】
この照明装置は、発光部である中空円筒状パイプの両端に光源部が取り付けられるとともに、反射シートはパイプの内側に取り付けられるため、光源部の取り付け個所が一定となって、取り付け位置を変えることはできない。又、反射シートの取り付けが容易ではない。  
【特許文献１】特開平１１−２６０１２１号公報
【発明の開示】
【発明が解決しようとする課題】
【０００５】
本発明が解決しようとする問題点は、ＬＥＤ素子を組み込んだ手摺の照明装置とする場合において、ＬＥＤ素子の組み込み個所を適宜に変えることができないという点である。
【０００６】
従って、本発明の目的は、棒状体、例えば手摺の照明として用いる場合、手摺に差し込むことにより、適宜にその取り付け位置を変えることができ、かつ簡易に取り付けることができるリング状照明体を提供することにある。
【０００７】
この目的のため、本発明の請求項1に記載のリング状照明体は、一方のリンク面側の全周が平坦面２とされた発光リング体１に、その嵌合穴４を介して前記平坦面２側より発光ダイオード素子３が嵌め込み固着されるとともに、前記発光リング体１の平坦面２と、前記発光ダイオード素子３の嵌合穴４より外部に出ている部分を含め前記発光リング体１までを囲むように白色塗料層８が形成された構成を特徴とするものである。
【０００８】
本発明の請求項２に記載のリング状照明体は、一方のリンク面側の全周が平坦面２とされた発光リング体１に、その嵌合穴４を介して前記平坦面２側より発光ダイオード素子３が、そのバルブ部頭部５ａを前記発光リング体１の他方のリンク面側に突出させて嵌め込み固着されるとともに、前記発光リング体１の平坦面２と、前記バルブ部頭部５ａを除いた前記発光ダイオード素子３の嵌合穴４より外部に出ている部分を含め前記発光リング体１までを囲むように白色塗料層８が形成された構成を特徴とするものである。
【０００９】
本発明の請求項３に記載のリング状照明体は、前記発光ダイオード素子３のバルブ部頭部５ａがＶ字形に形成され、かつ該Ｖ字形頭部分に鏡面１０が形成され、この発光ダイオード素子３が、前記発光リング体１の前記嵌合穴４に埋め込み固着された構成を特徴とするものである。
【００１０】
本発明の請求項４に記載のリング状照明体は、発光ダイオード素子３が複数であることを特徴とするものである。
【発明の効果】
【００１１】
請求項1に記載の発明によれば、ＬＥＤ素子の組み込まれた発光体がリング状に形成されているから、棒状体の照明として用いる場合には、棒状体に発光リング体を差し込むだけでよい。
従って、棒状体に対する取り付け位置を適宜に変えることができる。
【００１２】
上記請求項１に従属する請求項２に記載の発明によれば、発光リング体をリング状に発光させるだけでなく、ＬＥＤ素子の発光リング体よりの突出部がスポットライト機能を有するために、棒状体、例えば手摺全体を照らし出すことができる。
【００１３】
上記請求項１に従属する請求項３に記載の発明によれば、ＬＥＤ素子からの直線方向の光を９０度屈折させることができ、より効率よくリング状の発光体に光を送ることができる。
【００１４】
又、上記請求項１に従属する請求項４に記載の発明によれば、リング状の発光体の照度を高めることができて、周囲を明るく照らすことができる。
【発明を実施するための最良の形態】
【００１５】
本発明に係るリング状照明体は、例えばアクリル樹脂材によるリング状の発光リング体にＬＥＤ素子が組み込まれ、このＬＥＤ素子による光を効率よく発光リング体に誘導するために、ＬＥＤ素子の全体を囲むようにＬＥＤ素子の露出部分と発光リング体の一方のリンク面側に白色塗料層が形成され、手摺等の棒状体の照明として用いる場合、棒状体に差し込むだけで取り付け可能としたものである。
【実施例１】
【００１６】
図１は、本発明に係るリング状照明体の一例での平面図、図２は、同上の底面図、図３は、図２の３―３線に沿った断面図、図４は、図３の４―４線に沿った断面図である。
【００１７】
これら図において、本リング状照明体はリング状の発光体とＬＥＤ素子、白色塗料層を含んでいる。
【００１８】
リング状発光体１は、例えばアクリル樹脂製であって、その一方のリンク面側の中央部位には全周に亘って細幅の平坦面２を有している。
【００１９】
ＬＥＤ素子３は、白色又は電球色であって、平坦面２とされた発光リング体１に、その嵌合穴４を介し平坦面２側より嵌め込まれ、かつ嵌合部の周りがアクリル接着剤により固着されている。
【００２０】
嵌合穴４は盲穴であって、この嵌合穴４にＬＥＤ素子３のバルブ部５が嵌め込まれ、かつバルブ部５の嵌合周りが接着されることによって起立状に固着され、このＬＥＤ素子３の光を効率よく発光リング体１に誘導するため、発光リング体１の平坦面２の全周と、ＬＥＤ素子３の嵌合穴４より外部に出ているバルブ部分、封止部分６及び嵌合穴４内のバルブ部分と対応する部分を囲むように発光リング体１の外周部分７に白色塗料が均一に塗着されて白色塗料層８が形成されている。
【００２１】
なお、白色塗料層８は、図１及び図２においては斜線をもって表され、図３及び図４においては一部が断面線で表され、他の大部分は太線をもって表されている。
【００２２】
このように構成されたリング状照明体は、ＬＥＤ素子３のリード線９を介して電力が供給され、かつ点灯回路部（図示しない。）によってＬＥＤ素子３が点灯すると、光は発光リング体１内をリング状に発光する。
【実施例２】
【００２３】
図５は、実施例２の断面図で、実施例１と同様に図２の３−３線に沿った断面図であり、図６は、図５の６−６線に沿った断面図である。
【００２４】
なお、白色塗料層８は、実施例１における図３、図４と同様に、図５及び図６においては、一部が断面線で表され、他の大部分は太線をもって表されている。
【００２５】
この実施例２は、ＬＥＤ素子３が、そのバルブ部頭部５ａを発光リング体１の嵌合穴（貫通穴）４を介し突出させて埋め込み固着され、発光リング体１の平坦面２と、バルブ部頭部５ａを除いた前記ＬＥＤ素子３の嵌合穴４より外部に出ている部分を含め前記発光リング体１までを囲むように発光リング体１の外周部分７に白色塗料層８が形成されており、他の構成については実施例１と同じである。
【００２６】
よって、図３と図４との対応部分には同一の符号を付し、その構成説明は省略する。
【００２７】
この実施例２に係るリング状照明体は、発光リング体１をリング状に発光させるだけでなく、ＬＥＤ素子３における発光リング体１より突出したバルブ部頭部５ａがスポットライト機能を有するために、本リング状照明体を取り付けた例えば手摺全体を照らし出すことができる。
【００２８】
図６は、実施例３の断面図で、実施例１と同様に図２の３−３線に沿った断面図であり、図７は、図６の７−７線に沿った断面図である。
【００２９】
なお、白色塗料層８は、実施例１における図３、図４と同様に、図６及び図７においては、一部が断面線で表され、他の大部分は太線をもって表されている。
【００３０】
この実施例３は、ＬＥＤ素子３のバルブ部頭部５ａがＶ字形にカット形成され、かつこのＶ字面が研磨された後に銀蒸着（図８における斜線部分）によって、発光面側に鏡面１０が形成され、このＬＥＤ素子３が、発光リング体１の嵌合穴（盲穴）４を介して埋め込み固着されたもので、他の構成については実施例１と同じである。
【００３１】
よって、図３と図４との対応部分には同一の符号を付し、その構成説明は省略する。
【００３２】
この実施例３に係るリング状照明体は、ＬＥＤ素子３からの直線方向の光を９０度屈折させることができ、より効率よく発光リング体１に光を送ることができる。
【００３３】
上記実施例１〜３のいずれにおいても、ＬＥＤ素子３は１個であるが、ＬＥＤ素子３は複数でもよく、これにより発光リング体１の照度を高めることができて、周囲を明るく照らすことができる。
【００３４】
図９は、本発明に係るリング状照明体の使用態様の一例の簡略図で、棒状体、例えば丸棒手摺１００に拡散フィルター１０１と本リング状照明体が配線（図示しない。）した状態で差し込まれて取り付けられ（図９は上部のみを示し、下部側は省略してある。）、手摺の照明として用いられる。
【図面の簡単な説明】
【００３５】
【図１】本発明に係るリング状照明体の一例での平面図で、白色塗料層は斜線で表されている。
【図２】同上の底面図で、白色塗料層は斜線で表されている。
【図３】図２の３―３線に沿った断面図で、白色塗料層は一部が断面線で、他の部分は太線で表されている。
【図４】図３の４―４線に沿った断面図で、白色塗料層は太線で表されている。
【図５】実施例１と同様に図２の３−３線に沿った実施例２の断面図で、白色塗料層は一部が断面線で、他の部分は太線で表されている。
【図６】図５の６―６線に沿った断面図で、白色塗料層は太線で表されている。
【図７】実施例１と同様に図２の３−３線に沿った実施例３の断面図で、白色塗料層は一部が断面線で、他の部分は太線で表されている。
【図８】図７の８―８線に沿った断面図で、白色塗料層は太線で表されている。
【図９】本発明に係るリング状照明体の使用態様の一例の簡略図である。
【符号の説明】
【００３６】
１    発光リング体
２    平坦面
３    発光ダイオード（ＬＥＤ）素子
４    嵌合穴
５    発光ダイオード（ＬＥＤ）素子のバルブ部
５ａ  発光ダイオード（ＬＥＤ）素子のバルブ部頭部
６    発光ダイオード（ＬＥＤ）素子の封止部
７    嵌合穴内の発光ダイオード（ＬＥＤ）素子のバルブ部分と対応する部分を囲む発光リング体の外周部分
８    白色塗料層
９    リード線
１０    鏡面
【図１】
2006302743.tif 000003
【図２】
2006302743.tif 000004
【図３】
2006302743.tif 000005
【図４】
2006302743.tif 000006
【図５】
2006302743.tif 000007
【図６】
2006302743.tif 000008
【図７】
2006302743.tif 000009
【図８】
2006302743.tif 000010
【図９】
2006302743.tif 000011